(57)【要約】【課題】制御手段用のクロック発振手段から出力される基本波とＮ次高調波の電磁波と、受信及び送信の電磁波の干渉による無線特性の劣化を改善する。【解決手段】任意の周波数を選局する無線手段と、無線装置の制御を行う制御手段と、制御手段の基準クロックを生成するクロック発振手段と、基準クロックの発振周波数を切り換える条件を記憶する記憶手段と、比較演算手段と、基準クロックの発振周波数を切り換える周波数切換手段とを備え、基準クロックの発振周波数を含む所定の帯域あるいは基準クロックの高調波の周波数を含む所定の帯域が、送信周波数の送信帯域または受信周波数の受信帯域と重なるときは、前記クロック発振手段が生成する基準クロックの発振周波数を切り換え、基準クロックの発振周波数の高調波が送信周波数の送信帯域外または受信周波数の受信帯域外になるようにしている。【選択図】  図１
2004289419.tif 000002
【特許請求の範囲】
【請求項１】
任意の周波数で送信周波数または受信周波数を選局する無線手段と、無線装置の制御を行う制御手段と、前記制御手段の基準クロックを生成するクロック発振手段と、前記クロック発振手段が生成する基準クロックの発振周波数を切り換える条件を記憶する記憶手段と、前記無線手段が選局している送信周波数または受信周波数に基づき基準クロックの発振周波数を切り換えるべき状態か否かを比較する比較演算手段と、前記比較演算手段の比較結果により前記クロック発振手段が生成する基準クロックの発振周波数を切り換える周波数切換手段とを備え、
前記記憶手段に記憶されている基準クロックの発振周波数を切り換える条件として、前記クロック発振手段が生成する基準クロックの発振周波数を含む所定の帯域あるいは前記基準クロックの高調波の周波数を含む所定の帯域が、送信周波数の送信帯域または受信周波数の受信帯域と重なるときは、前記クロック発振手段が生成する基準クロックの発振周波数を切り換えるように構成した無線装置。
【請求項２】
任意の周波数で送信周波数を選局する送信手段と、無線装置の制御を行う制御手段と、前記制御手段の基準クロックを生成するクロック発振手段と、前記クロック発振手段が生成する基準クロックの発振周波数を切り換える条件を記憶する記憶手段と、前記送信手段が選局している送信周波数に基づき基準クロックの発振周波数を切り換えるべき状態か否かを比較する比較演算手段と、前記比較演算手段の比較結果により前記クロック発振手段が生成する基準クロックの発振周波数を切り換える周波数切換手段とを備え、前記記憶手段に記憶されている基準クロックの発振周波数を切り換える条件として、前記クロック発振手段が生成する基準クロックの発振周波数を含む所定の帯域あるいは前記基準クロックの高調波の周波数を含む所定の帯域が、送信周波数の送信帯域と重なるときは、前記クロック発振手段が生成する基準クロックの発振周波数を切り換えるように構成した無線装置。
【請求項３】
任意の周波数で受信周波数を選局する受信手段と、無線装置の制御を行う制御手段と、前記制御手段の基準クロックを生成するクロック発振手段と、前記クロック発振手段が生成する基準クロックの発振周波数を切り換える条件を記憶する記憶手段と、前記受信手段が選局している受信周波数に基づき基準クロックの発振周波数を切り換えるべき状態か否かを比較する比較演算手段と、前記比較演算手段の比較結果により前記クロック発振手段が生成する基準クロックの発振周波数を切り換える周波数切換手段とを備え、前記記憶手段に記憶されている基準クロックの発振周波数を切り換える条件として、前記クロック発振手段が生成する基準クロックの発振周波数を含む所定の帯域あるいは前記基準クロックの高調波の周波数を含む所定の帯域が、受信周波数の受信帯域と重なるときは、前記クロック発振手段が生成する基準クロックの発振周波数を切り換えるように構成した無線装置。
【請求項４】
任意の周波数で送信周波数を選局する送信手段と、任意の周波数で受信周波数を選局する受信手段と、無線装置の制御を行う制御手段と、前記制御手段の基準クロックを生成するクロック発振手段と、前記クロック発振手段が生成する基準クロックの発振周波数を切り換える条件を記憶する記憶手段と、基準クロックの発振周波数を切り換えるべき状態か否かを比較する比較演算手段と、前記比較演算手段の比較結果により前記クロック発振手段が生成する基準クロックの発振周波数を切り換える周波数切換手段とを備え、前記記憶手段に記憶されている基準クロックの発振周波数を切り換える条件として、前記クロック発振手段が生成する基準クロックの発振周波数を含む所定の帯域あるいは前記基準クロックの高調波の周波数を含む所定の帯域が、送信周波数の送信帯域と重なるときは、前記クロック発振手段が生成する基準クロックの発振周波数を切り換え、前記クロック発振手段が生成する基準クロックの発振周波数を含む所定の帯域あるいは前記基準クロックの高調波の周波数を含む所定の帯域が、受信周波数の受信帯域と重なるときは、前記クロック発振手段が生成する基準クロックの発振周波数を切り換えるように構成した無線装置。
【請求項５】
任意の周波数で送信周波数を選局する送信手段と、無線装置の制御を行う制御手段と、前記制御手段の基準クロックを生成するクロック発振手段と、前記送信手段で選局する送信周波数と前記クロック発振手段が生成する基準クロックの発振周波数を切り換える条件を記憶する記憶手段と、前記記憶手段に記憶されている条件を基に前記クロック発振手段が生成する基準クロックの発振周波数を切り換える周波数切換手段とを備え、前記送信手段は前記記憶手段に記憶されている送信周波数を選局し、選局した送信周波数に対応して切り換えるべき基準クロックの発振周波数が前記記憶手段に記憶されているときは、前記周波数切換手段の出力の状態により前記クロック発振手段が生成する基準クロックの発振周波数を切り換えるように構成した無線装置。
【請求項６】
任意の周波数で受信周波数を選局する受信手段と、無線装置の制御を行う制御手段と、前記制御手段の基準クロックを生成するクロック発振手段と、前記受信手段で選局する受信周波数と前記クロック発振手段が生成する基準クロックの発振周波数を切り換える条件を記憶する記憶手段と、前記記憶手段の記憶されている条件を基に前記クロック発振手段が生成する基準クロックの発振周波数を切り換える周波数切換手段とを備え、前記受信手段は前記記憶手段に記憶されている受信周波数を選局し、選局した受信周波数に対応して切り換えるべき基準クロックの発振周波数が前記記憶手段に記憶されているときは、前記周波数切換手段の出力の状態により前記クロック発振手段が生成する基準クロックの発振周波数を切り換えるように構成した無線装置。
【請求項７】
任意の周波数で送信周波数を選局する送信手段と、任意の周波数で受信周波数を選局する受信手段と、無線装置の制御を行う制御手段と、前記制御手段の基準クロックを生成するクロック発振手段と、前記送信手段で選局する送信周波数と前記クロック発振手段が生成する基準クロックの発振周波数を切り換える条件を記憶する記憶手段と、前記記憶手段に記憶されている条件を基に前記クロック発振手段が生成する基準クロックの発振周波数を切り換える周波数切換手段とを備え、前記送信手段は前記記憶手段に記憶されている送信周波数を選局し、選局した送信周波数に対応して切り換えるべき基準クロックの発振周波数が前記記憶手段に記憶されているときは、前記周波数切換手段の出力の状態により前記クロック発振手段が生成する基準クロックの発振周波数を切り換え、前記受信手段は前記記憶手段に記憶されている受信周波数を選局し、選局した受信周波数に対応して切り換えるべき基準クロックの発振周波数が前記記憶手段に記憶されているときは、前記周波数切換手段の出力の状態により前記クロック発振手段が生成する基準クロックの発振周波数を切り換えるように構成した無線装置。
【発明の詳細な説明】
【０００１】
【発明の属する技術分野】
本発明は、携帯電話装置に代表されるような任意の周波数で送信チャネル及び受信チャネルを選局する無線装置に関するものである。特に、無線装置に内蔵するクロック発振回路で生成される基準クロックの基本波とＮ次高調波の輻射による無線特性劣化の改善に関する。
【０００２】
【従来の技術】
近年、カメラ付き携帯電話装置に代表されるような任意の周波数で送信周波数もしくは受信周波数を選局する小型の携帯用無線装置では、無線装置全体の制御を行う制御手段の他に、ＣＣＤカメラの画像処理の画像処理制御手段や、カラー液晶表示の制御を行う液晶表示制御手段にそれぞれクロック発振手段を設けることが必要になってきている。しかしこれらのクロック発振手段は、それぞれの基準クロックの基本波とＮ次高調波を自由空間に電磁波として輻射する場合があり、この、それぞれの電磁波の周波数と送信チャネルもしくは受信チャネルの周波数が一致、または非常に隣接する場合において、お互いの電磁波の干渉が生じる為、送信特性や受信特性等の無線特性が劣化する。
【０００３】
上記の無線特性の劣化を改善する従来の方法として、クロック発振手段から発振している基準クロックの発振周波数（ＦＸ）を整数（Ｎ）倍し、その演算結果のＮ倍した発信周波数（Ｎ・ＦＸ）と無線手段が選局している受信周波数（ＦＲ）とを比較し、受信周波数と演算結果が等しいときはクロック周波数（ＦＸ）をシフトした周波数（ＦＸ＋ΔＦ）に変え、等しくないときはクロック周波数（ＦＸ）をシフトしないで使用するという方法が知られていた（例えば、特許文献１）。このクロック周波数をシフトする方法によれば、受信周波数（ＦＲ）とクロック周波数（ＦＸ）が等しくなるときはクロック周波数がシフトした周波数（ＦＸ＋ΔＦ）に変わるので、高調波は無線手段の受信帯域外になりノイズとなることがない。そして、高調波が完全に受信帯域外にならないまでも、中心周波数がずれることにより強度が弱まり、受信機の自動利得制御（ＡＧＣ）回路の働きにより消されてしまうことが期待される。
【０００４】
【特許文献１】
特開平２−４１０３３号公報（第２−３頁、第２図）
【０００５】
【発明が解決しようとする課題】
しかしながら、上記従来の無線装置では、受信周波数と高調波の周波数が等しいときは、クロック周波数がシフトされるが、受信周波数と高調波の周波数が等しくないときは、クロック周波数の高調波が近くにあり影響を受けるときであっても、クロック周波数はシフトされない。中心周波数がずれているからといっても、本来の受信電波がクロック周波数の高調波より弱いときもあり、受信機の自動利得制御（ＡＧＣ）回路の働きによりクロック周波数の高調波が消えるとは限らない。
【０００６】
本発明は上記したクロック周波数の高調波が受信周波数または送信周波数と等しくはないが、近くにあって影響を受けるというときに送信特性や受信特性等の無線特性が劣化するという問題点を解決した無線装置を提供することを目的とする。
【０００７】
【課題を解決するための手段】
本発明は上記の問題点を解決するための第１の手段として、任意の周波数で選局する無線手段と、無線装置の制御を行う制御手段と、前記制御手段の基準クロックを生成するクロック発振手段と、前記クロック発振手段が生成する基準クロックの発振周波数を切り換える条件を記憶する記憶手段と、前記無線手段が選局している周波数に基づき基準クロックの発振周波数を切り換えるべき状態か否かを比較する比較演算手段と、前記比較演算手段の比較結果により前記クロック発振手段が生成する基準クロックの発振周波数を切り換える周波数切換手段とを設け、前記記憶手段に記憶されている基準クロックの発振周波数を切り換える条件として、前記クロック発振手段が生成する基準クロックの発振周波数を含む所定の帯域あるいは前記基準クロックの高調波の周波数を含む所定の帯域が、選局した周波数を含む所定の帯域と重なるときは、前記クロック発振手段が生成する基準クロックの発振周波数を切り換えるようにしたものである。
【０００８】
また、本発明は上記の問題点を解決するための第２の手段として、任意の周波数で選局する無線手段と、無線装置の制御を行う制御手段と、前記制御手段の基準クロックを生成するクロック発振手段と、前記無線手段で選局する周波数と前記クロック発振手段が生成する基準クロックの発振周波数を切り換える条件を記憶する記憶手段と、前記記憶手段の記憶されている条件を基に前記クロック発振手段が生成する基準クロックの発振周波数を切り換える周波数切換手段とを設け、前記無線手段は前記記憶手段に記憶されている周波数を選局し、選局した周波数に対応して切り換えるべき基準クロックの発振周波数が前記記憶手段に記憶されているときは、前記周波数切換手段の出力の状態により前記クロック発振手段が生成する基準クロックの発振周波数を切り換えるようにしたものである。
【０００９】
したがって、本発明は上記した構成によって、無線手段が選局している周波数と記憶手段に記憶されている記憶内容を基に、周波数切換手段を制御し、クロック発振手段が生成する基準クロックの発振周波数を切り換えるようにしたことにより、クロック発振手段の基準クロックの基本波とＮ次高調波の電磁波の輻射が、選局中の周波数と干渉することを防ぎ、無線特性の劣化を確実に改善することができる。
【００１０】
【実施の形態】
以下、図面とともに本発明の実施の形態を説明する。
【００１１】
（実施の形態１）
図１は本発明の第１の実施の形態に係る無線装置の構成を示す概略ブロック図である。図１に示すように、任意の周波数で送信周波数を選局する送信手段５０を有する無線手段５と、無線装置の制御を行う制御手段６と、制御手段６の基準クロック１２を生成するクロック発振手段１０と、クロック発振手段１０が生成する基準クロック１２の発振周波数を切り換える条件を記憶する記憶手段２と、送信手段５０が選局している送信周波数に基づき基準クロックの発振周波数を切り換えるべき状態か否かを比較する比較演算手段３と、比較演算手段３の比較結果によりクロック発振手段１０が生成する基準クロック１２の発振周波数を切り換える周波数切換手段４とを備える構成である。
【００１２】
なお、制御手段６は、全体の制御を行う全体制御手段として説明する。また、ここで言う基準クロックの発振周波数を切り換えるべき状態とは、クロック発振手段が生成する基準クロックの発振周波数を含む所定の帯域あるいは基準クロックの高調波の周波数を含む所定の帯域が、選局した周波数を含む所定の帯域と重なっている状態をいう。
【００１３】
図２と図３に、横軸に周波数を縦軸に電界強度をとり、無線手段５が送信する送信周波数（ＦＲ）とその電界強度と、制御手段の基準クロックの高調波の周波数（Ｎ・ＦＸ）の一つとその電界強度を概念的に示したグラフを示す。図２は、無線手段５が選局した送信周波数（ＦＲ）より基準クロックの高調波の周波数（Ｎ・ＦＸ）が少し周波数が高いという状態にある。送信周波数（ＦＲ）と高調波の周波数（Ｎ・ＦＸ）は同じではないが、それぞれの電磁波にはそれぞれの周波数を中心とした所定幅の帯域に電磁波が広がっている。図２では、送信周波数（ＦＲ）の裾の帯域幅（ＷＲ）と、高調波の周波数（Ｎ・ＦＸ）の裾の帯域幅（ＷＸ）が重なっている。
【００１４】
図３は、無線手段５が選局した送信周波数（ＦＲ）より基準クロックの高調波の周波数（Ｎ・ＦＸ）が少し周波数が低いという状態を示している。送信周波数（ＦＲ）と高調波の周波数（Ｎ・ＦＸ）は同じではないが、それぞれの電磁波にはそれぞれの周波数を中心とした所定幅の帯域に電磁波が広がっているため、図３では、送信周波数（ＦＲ）の裾の帯域幅（ＷＲ）と、高調波の周波数（Ｎ・ＦＸ）の裾の帯域幅（ＷＸ）が重なっている。
【００１５】
本発明では、図２や図３のように送信周波数（ＦＲ）の裾の帯域幅（ＷＲ）と、高調波の周波数（Ｎ・ＦＸ）の裾の帯域幅（ＷＸ）が重なっている状態は、基準クロックの発振周波数を切り換えるべき状態であるとして、基準クロックの発振周波数を切り換えて、図２と図３にそれぞれ破線で示すように、基準クロックの発振周波数をシフトすることにしている。クロック発振手段が生成する基準クロックの発振周波数を含む所定の帯域あるいは基準クロックの高調波の周波数を含む所定の帯域（ＷＸ）が、選局した周波数を含む所定の帯域（ＷＲ）と重なっているかを判定するには、送信周波数（ＦＲ）から高調波の周波数（Ｎ・ＦＸ）を引いた周波数の絶対値の大きさが、送信周波数の送信帯域幅（ＷＲ）と高調波の周波数の帯域幅（ＷＸ）の和の１／２以上であることを確認すればよい。この関係を（式１）に示す。
【００１６】
｜ＦＲ−Ｎ・ＦＸ｜＞（１／２）×（ＷＲ＋ＷＸ）      （１）
上記の（式１）を満たすときは、基準クロックの高調波の周波数を含む所定の帯域（ＷＸ）は、選局した周波数を含む所定の帯域（ＷＲ）と重なっていない。（式１）を満たさないときは、基準クロックの高調波の周波数を含む所定の帯域（ＷＸ）は、選局した周波数を含む所定の帯域（ＷＲ）と重なっている。この（式１）を無線装置の全体を制御する制御手段６の制御プログラムに組み込んでおくことにより、周波数の状況を比較演算して、周波数を切り換えるべき状態か否かを判定することができる。ここで、送信周波数の送信帯域幅（ＷＲ）と高調波の周波数の帯域幅（ＷＸ）は、無線手段を動作させる都度、測定することにしても良いし、予め実測した結果をもとに定数として制御プログラムに組み込んでおいてもよい。
【００１７】
なお、基準クロックの発振周波数をシフトする向きと大きさは、（式１）から導くことができる。
【００１８】
次に上記した本発明の第１の実施の形態の動作について説明する。上記第１の実施の形態において、無線装置が起動すると制御手段６は各手段の初期化を開始する。その時、周波数切換手段４はクロック発振手段１０が生成する基準クロック１２の発振周波数を第１の発振周波数に設定するための切換信号４０を出力する。切換信号４０が入力されたクロック発振手段１０は基準クロック１２の発振周波数を第１の発振周波数に設定する。初期化が終了すると、制御手段６は送信手段５０を制御させ、送信周波数を順次スキャンし、任意の周波数を選局して送信を開始する。その時、比較演算手段３は送信手段５０が選局した送信周波数と記憶手段２に記憶されている条件、つまりクロック発振手段が生成する基準クロックの発振周波数を含む所定の帯域あるいは基準クロックの高調波の周波数を含む所定の帯域が、選局した周波数を含む所定の帯域と重なるか否か、について、より具体的には（式１）に基づいて状況を比較する。クロック発振手段１０が生成する基準クロックの発振周波数（ＦＸ）を含む所定の帯域あるいは基準クロックの高調波の周波数を含む所定の帯域（ＷＸ）が、選局した周波数（ＦＲ）を含む所定の帯域（ＷＲ）と重なり、基準クロック１２の基本波とＮ次高調波の輻射が、送信手段５０で選局している送信周波数に干渉を与える周波数になっている場合、周波数切換手段４はクロック発振手段１０が生成する基準クロック１２の発振周波数を第２の発振周波数に設定するための切換信号４０を出力する。切換信号４０が入力されたクロック発振手段１０は基準クロック１２の発振周波数を第２の発振周波数に設定する。
【００１９】
また比較演算手段３は、送信手段５０が選局した送信周波数と記憶手段２に記憶されている条件を比較し、クロック発振手段１０が生成する基準クロックの発振周波数（ＦＸ）を含む所定の帯域あるいは基準クロックの高調波の周波数を含む所定の帯域（ＷＸ）が、選局した周波数（ＦＲ）を含む所定の帯域（ＷＲ）と重なっておらず、基準クロック１２の基本波とＮ次高調波の輻射が、送信手段５０で選局している送信周波数に干渉を与える周波数でないと判断した場合、周波数切換手段４はクロック発振手段１０が生成する基準クロック１２の発振周波数を第１の発振周波数に設定するための切換信号４０を出力する。切換信号４０が入力されたクロック発振手段１０は基準クロック１２の発振周波数を第１の発振周波数に設定する。
【００２０】
このように、クロック発振手段１０が生成する基準クロック１２の発振周波数を送信手段５０で選局する送信周波数に応じて第１の周波数と第２の周波数を切り換えることにより、クロック発振手段１０が生成する基準クロックの基本波とＮ次高調波の電磁波の輻射と送信手段５０の選局している送信周波数の干渉を防ぎ、送信特性の劣化を確実に改善することができる。
【００２１】
（実施の形態２）
図４は本発明の第２の実施の形態を示す概略ブロック図である。図４に示すように、任意の周波数で受信周波数を選局する受信手段５１を有する無線手段５と、無線装置の制御を行う制御手段６と、制御手段６の基準クロック１２を生成するクロック発振手段１０と、クロック発振手段１０が生成する基準クロック１２の発振周波数を切り換える条件を記憶手段２と、受信手段５１が選局している受信周波数に基づき基準クロックの発振周波数を切り換えるべき状態か否かを比較する比較演算手段３と、比較演算手段３の比較結果によりクロック発振手段１０が生成する基準クロック１２の発振周波数を切り換える周波数切換手段４とを備える構成である。なお、ここで言う、基準クロックの発振周波数を切り換えるべき状態とは、本発明の第１の実施の形態で説明したのと同じく、クロック発振手段１０が生成する基準クロックの発振周波数（ＦＸ）を含む所定の帯域あるいは基準クロックの高調波の周波数を含む所定の帯域（ＷＸ）が、選局した周波数（ＦＲ）を含む所定の帯域（ＷＲ）と重なるときをいう。
【００２２】
次に上記した第２の実施の形態の動作について説明する。上記第２の実施の形態において、無線装置が起動すると制御手段６は各手段の初期化を開始する。その時、周波数切換手段４はクロック発振手段１０が生成する基準クロック１２の発振周波数を第１の発振周波数に設定するための切換信号４０を出力する。切換信号４０が入力されたクロック発振手段１０は基準クロック１２の発振周波数を第１の発振周波数に設定する。初期化が終了すると、制御手段６は受信手段５１を制御させ、受信周波数を順次スキャンし、任意の周波数を選局して受信を開始する。その時、比較演算手段３は受信手段５１が選局した受信周波数と記憶手段２に記憶されている条件、つまりクロック発振手段１０が生成する基準クロックの発振周波数（ＦＸ）を含む所定の帯域あるいは基準クロックの高調波の周波数を含む所定の帯域（ＷＸ）が、選局した周波数（ＦＲ）を含む所定の帯域（ＷＲ）と重なるか否か、を比較する。クロック発振手段１０が生成する基準クロックの発振周波数（ＦＸ）を含む所定の帯域あるいは基準クロックの高調波の周波数を含む所定の帯域（ＷＸ）が、選局した周波数（ＦＲ）を含む所定の帯域（ＷＲ）と重なり、基準クロック１２の基本波とＮ次高調波の輻射が、受信手段５１で選局している受信周波数に干渉を与える周波数であると判断した場合、周波数切換手段４はクロック発振手段１０が生成する基準クロック１２の発振周波数を第２の発振周波数に設定するための切換信号４０を出力する。切換信号４０が入力されたクロック発振手段１０は基準クロック１２の発振周波数を第２の発振周波数に設定する。
【００２３】
また比較演算手段３は、受信手段５１が選局した受信周波数と記憶手段２に記憶されている条件を比較し、クロック発振手段１０が生成する基準クロックの発振周波数（ＦＸ）を含む所定の帯域あるいは基準クロックの高調波の周波数を含む所定の帯域（ＷＸ）が、選局した周波数（ＦＲ）を含む所定の帯域（ＷＲ）と重なっておらず、基準クロック１２の基本波とＮ次高調波の輻射が、受信手段５１で選局している受信周波数に干渉を与える周波数でないと判断した場合、周波数切換手段４はクロック発振手段１０が生成する基準クロック１２の発振周波数を第１の発振周波数に設定するための切換信号４０を出力する。切換信号４０が入力されたクロック発振手段１０は基準クロック１２の発振周波数を第１の発振周波数に設定する。
【００２４】
このように、クロック発振手段１０が生成する基準クロック１２の発振周波数を受信手段５１で選局する受信周波数に応じて第１の周波数と第２の周波数を切り換えることにより、クロック発振手段１０が生成する基準クロックの基本波とＮ次高調波の電磁波の輻射と受信手段５１の選局している受信周波数の干渉を防ぎ、受信特性の劣化を確実に改善することができる。
【００２５】
なお、第１の実施の形態と第２の実施の形態の双方の機能を有するように構成すれば、送信特性と受信特性の双方の劣化を確実に改善できる。
【００２６】
（実施の形態３）
図５は本発明の第３の実施の形態の構成を示す概略図である。図５に示すように、任意の周波数で送信周波数を選局する送信手段５０を有する無線手段５と、無線装置の制御を行う制御手段６と、制御手段６の基準クロックを生成するクロック発振手段１０と、送信手段５０で選局する送信周波数とクロック発振手段１０が生成する基準クロック１２の発振周波数を切り換える条件を記憶する記憶手段２と、記憶手段２の記憶されている条件を基にクロック発振手段１０が生成する基準クロック１２の発振周波数を切り換える周波数切換手段４とを備える構成である。
【００２７】
次に上記した第３の実施の形態の動作について説明する。上記第３の実施の形態において、無線装置が起動すると、制御手段６は各手段の初期化を開始する。その時、周波数切換手段４はクロック発振手段１０が生成する基準クロック１２の発振周波数を第１の発振周波数に設定するための切換信号４０を出力する。切換信号４０が入力されたクロック発振手段１０は基準クロック１２の発振周波数を第１の発振周波数に設定する。初期化が終了すると、送信手段５０は送信周波数を記憶手段２から読み出し、その送信周波数を選局して送信を開始する。それと同時に周波数切換手段４は、送信手段５０が読み出した送信周波数に対応する条件を記憶手段２から読み出す。その条件が基準クロック１２の基本波とＮ次高調波の輻射が、送信手段５０で選局している送信周波数に干渉を与える周波数であり、選局した送信周波数に対応して切り換えるべき基準クロックの発振周波数として例えば第２の発信周波数が予め記憶手段２に記憶されているときは、周波数切換手段４はクロック発振手段１０が生成する基準クロック１２の発振周波数を第２の発振周波数に設定するための切換信号４０を出力する。切換信号４０が入力されたクロック発振手段１０は基準クロック１２の発振周波数を第２の発振周波数に設定する。
【００２８】
また、記憶手段２から読み出した条件が、基準クロック１２の基本波とＮ次高調波の輻射が、送信手段５０で選局している送信周波数に干渉を与える周波数でないと示している場合、周波数切換手段４はクロック発振手段１０が生成する基準クロック１２の発振周波数を第１の発振周波数に設定するための切換信号４０を出力する。切換信号４０が入力されたクロック発振手段１０は基準クロック１２の発振周波数を第１の発振周波数に設定する。
【００２９】
このように、本発明の第３の実施の形態によれば、前述した本発明の第１の実施の形態のように比較演算手段３を用いて都度、比較演算することなく、選局した送信周波数に対応して切り換えるべき基準クロックの発振周波数を予め記憶手段２に記憶しておくことにより、送信周波数を選局したときは、その条件を記憶手段２から読み出して、クロック発振手段１０が生成する基準クロック１２の発振周波数を送信手段５０で選局する送信周波数に応じて第１の周波数と第２の周波数を切り換えることができる。このことにより、より迅速にクロック発振手段１０が生成する基準クロックの周波数をシフトして、基準クロック１２の基本波とＮ次高調波の電磁波の輻射と送信手段５０の選局している送信周波数の干渉を防ぎ、送信特性の劣化を確実に改善することができる。
【００３０】
（実施の形態４）
図６は本発明の第４の実施の形態の構成を示す概略ブロック図である。図６に示すように、任意の周波数で受信周波数を選局する受信手段５１を有する無線手段５と、無線装置の制御を行う制御手段６と、制御手段６の基準クロックを生成するクロック発振手段１０と、受信手段５１で選局する受信周波数とクロック発振手段１０が生成する基準クロック１２の発振周波数を切り換える条件を記憶する記憶手段２と、記憶手段２の記憶されている条件を基にクロック発振手段１０が生成する基準クロック１２の発振周波数を切り換える周波数切換手段４とを備える構成である。
【００３１】
次に上記した第４の実施例の動作について説明する。上記第４の実施例において、無線装置が起動すると、制御手段６は各手段の初期化を開始する。その時、周波数切換手段４はクロック発振手段１０が生成する基準クロック１２の発振周波数を第１の発振周波数に設定するための切換信号４０を出力する。切換信号４０が入力されたクロック発振手段１０は基準クロック１２の発振周波数を第１の発振周波数に設定する。初期化が終了すると、受信手段５１は受信周波数を記憶手段２から読み出し、その受信周波数を選局して受信を開始する。それと同時に周波数切換手段４は、受信手段５１が読み出した受信周波数に対応する条件を記憶手段２から読み出す。その条件が基準クロック１２の基本波とＮ次高調波の輻射が、受信手段５１で選局している受信周波数に干渉を与える周波数であり、選局した受信周波数に対応して切り換えるべき基準クロックの発振周波数として例えば第２の発信周波数が予め記憶手段２に記憶されているときは、、周波数切換手段４は発振手段１０が生成する基準クロック１２の発振周波数を第２の発振周波数に設定するための切換信号４０を出力する。切換信号４０が入力されたクロック発振手段１０は基準クロック１２の発振周波数を第２の発振周波数に設定する。また、記憶手段２から読み出した条件が、基準クロック１２の基本波とＮ次高調波の輻射が、受信手段５１で選局している受信周波数に干渉を与える周波数でないと示している場合、周波数切換手段４はクロック発振手段１０が生成する基準クロック１２の発振周波数を第１の発振周波数に設定するための切換信号４０を出力する。切換信号４０が入力されたクロック発振手段１０は基準クロック１２の発振周波数を第１の発振周波数に設定する。
【００３２】
このように、本発明の第４の実施の形態によれば、前述した本発明の第２の実施の形態のように比較演算手段３を用いて都度、比較演算することなく、選局した受信周波数に対応して切り換えるべき基準クロックの発振周波数を予め記憶手段２に記憶しておくことにより、受信周波数を選局したときは、その条件を記憶手段２から読み出して、クロック発振手段１０が生成する基準クロック１２の発振周波数を受信手段５１で選局する受信周波数に応じて第１の周波数と第２の周波数を切り換えることができる。このことにより、より迅速にクロック発振手段１０が生成する基準クロックの周波数をシフトして、基準クロック１２の基本波とＮ次高調波の電磁波の輻射と受信手段５１の選局している受信周波数の干渉を防ぎ、受信特性の劣化を確実に改善することができる。
【００３３】
なお、第３の実施の形態と第４の実施の形態の双方の機能を有するように構成すれば、送信特性と受信特性の双方の劣化を確実に改善できる。
【００３４】
（実施の形態５）
図７に第５の実施の形態として具体的な回路を示す。図７に示すように、任意の周波数で受信周波数を選局する受信手段５１を有する無線手段５と、無線装置全体の制御を行うマイクロプロセッサ６０と、マイクロプロセッサ６０の基準クロック１２を生成する水晶発振回路１３と、受信手段５１で選局する受信周波数と水晶発振回路１３が生成する基準クロック１２の発振周波数を切り換える条件を記憶するメモリ回路２０と、メモリ回路２０の記憶されている条件を基に水晶発振回路１３が生成する基準クロック１２の発振周波数を切り換える周波数切換手段４とを備える構成である。なお、メモリ回路２０は上記した受信周波数と切り換え条件の他にマイクロプロセッサ６０の制御用プログラムも記憶されているものとする。また周波数切換手段４は、マイクロプロセッサ６０の機能の１つで有りソフト的に制御されるものである。また水晶発振回路１３は、マイクロプロセッサ６０の内部のＣＭＯＳインバータ６００と帰還抵抗６０１と、マイクロプロセッサ６０外部の水晶振動子１３０と抵抗１３１、１３２、１３３とコンデンサ１３４、１３５、１３６と可変容量ダイオード１３７、１３８から構成される。
【００３５】
次に上記した第５の実施の形態の動作について説明する。図８に示すように、無線装置が起動すると、マイクロプロセッサ６０は各手段の初期化を開始する。その時、周波数切換手段４は水晶発振回路１３が生成する基準クロック１２の発振周波数を第１の発振周波数に設定するための切換信号４０を出力する。切換信号４０が入力された水晶発振回路１３は基準クロック１２の発振周波数を第１の発振周波数に設定する。初期化が終了すると、受信手段５１は受信周波数をメモリ回路２０から読み出し、その受信周波数を選局して受信を開始する。それと同時に周波数切換手段４は、受信手段５１が読み出した受信周波数に対応する条件をメモリ回路２０から読み出す。その条件、つまりクロック発振手段が生成する基準クロックの発振周波数を含む所定の帯域あるいは基準クロックの高調波の周波数を含む所定の帯域が、選局した周波数を含む所定の帯域と重なるか否かを比較する。クロック発振手段が生成する基準クロックの発振周波数を含む所定の帯域あるいは基準クロックの高調波の周波数を含む所定の帯域が、選局した周波数を含む所定の帯域と重なり、水晶発振回路１３が生成する基準クロック１２の基本波とＮ次高調波の輻射が、受信手段５１で選局している受信周波数に干渉を与える周波数であると示している場合、周波数切換手段４は水晶波発振回路１３が生成する基準クロック１２の発振周波数を第２の発振周波数に設定するための切換信号４０を出力する。切換信号４０が入力された水晶発振回路１３は基準クロック１２の発振周波数を第２の発振周波数に設定する。
【００３６】
またメモリ回路２０から読み出した条件によれば、クロック発振手段が生成する基準クロックの発振周波数を含む所定の帯域あるいは基準クロックの高調波の周波数を含む所定の帯域が、選局した周波数を含む所定の帯域と重なっておらず、基準クロック１２の基本波とＮ次高調波の輻射が、受信手段５１で選局している受信周波数に干渉を与える周波数でないと示している場合、周波数切換手段４は水晶発振回路１３が生成する基準クロック１２の発振周波数を第１の発振周波数に設定するための切換信号４０を出力する。切換信号４０が入力された水晶発振回路１３は基準クロック１２の発振周波数を第１の発振周波数に設定する。
【００３７】
このように、水晶発振回路１３が生成する基準クロック１２の発振周波数を受信手段５１で選局する受信周波数に応じて第１の周波数と第２の周波数を切り換えることにより、水晶発振回路１３が生成する基準クロックの基本波とＮ次高調波の電磁波の輻射と受信手段５１の選局している受信周波数の干渉を防ぎ、受信特性の劣化を確実に改善することができる。
【００３８】
（実施の形態６）
図９に第６の実施の形態の概略ブロック図を示す。図９では、制御手段６の他にカメラ制御手段１１０、ＬＣＤ表示制御手段１００を示している。これらの制御手段は、それぞれカメラ用クロック発振手段１１１、ＬＣＤ用クロック発振手段１０１を持ち、全体を制御する制御手段６に接続しその全体的な制御の下で、ＣＣＤカメラ１１２の撮影動作の制御や、カラー液晶表示装置などの表示手段１０２の表示動作の制御を行っている。図９に示す無線装置では、全体を制御する制御手段６、カメラ制御手段１１０、ＬＣＤ表示制御手段１１０のそれぞれのクロック発振手段の基準クロック周波数をシフトするのに、記憶手段２、比較演算手段３，周波数切り換え手段４を共用する構成を採っている。
【００３９】
本発明の第６の実施の形態の受信動作について説明する。図１０に本発明の第６の実施の形態の動作のフローチャートを示す。第６の実施の形態において、無線装置が起動すると（ステップ１０１）、制御手段６は各手段の初期化を行う（ステップ１０２）。初期化が終了すると、受信手段５１に任意の周波数を選局させて受信を開始する（ステップ１０３）。そして、比較演算手段３、周波数切り換え手段４，記憶手段２を用いて制御手段６の基準クロック１２の発振周波数を必要によりシフトして決定する（ステップ１０４）。なお、詳細な手順は既に述べた第２の実施の形態と同じである。第６の実施の形態では、制御手段６の基準クロック１２の発振周波数を決めた後に、制御手段６の全体的な制御の下で、ＬＣＤ表示制御手段１００のＬＣＤ用クロック発振手段１０１について、比較演算手段３、周波数切り換え手段４，記憶手段２を用いて基準クロックの発振周波数を必要によりシフトして決定する（ステップ１０５）。送信動作については説明を省略するが、受信動作と同様に、制御手段６とＬＣＤ表示制御手段１００のクロック発振手段の基準クロック周波数を決定し、無線手段５が基地局と間欠送受信をしている、いわゆる着信待ち受け状態になる（ステップ１０６）。もし着信待ち受け状態中に、第６の実施の形態のカメラ付き携帯電話装置で、図示しないＣＣＤカメラを動作させるスイッチが入ると（ステップ１０７）、カメラ制御手段１１０のカメラ用クロック発振手段１１１の基準クロックの発振周波数を、比較演算手段３、周波数切り換え手段４，記憶手段２を用いて、必要により周波数をシフトして決定する（ステップ１０８）。カメラ撮影が終わると（ステップ１０９）、再び着信待ち受け状態に戻る（ステップ１０６）。そして、図示しないテンキーなどのキー操作手段から無線通信終了信号が入力されると（ステップ１１０）、動作を終了する（ステップ１１１）。
【００４０】
カメラ付き携帯電話装置などは小型化が進み、全体を制御する制御手段６、カメラ制御手段１１０、ＬＣＤ表示制御手段１００は無線手段５に近接して設けられるので、受信周波数や送信周波数とそれぞれの基準クロックの周波数を含む所定の帯域、あるいは、受信周波数や送信周波数とそれぞれの高調波の周波数を含む所定の帯域が重なる可能性は高くなっているが、このように、クロック発振手段１０が生成する基準クロック１２の発振周波数とＬＣＤ用クロック発振手段１０１とカメラ用クロック発振手段１１１を、適宜、受信手段５１で選局する受信周波数に応じて第１の周波数と第２の周波数を切り換えることにより、クロック発振手段１０が生成する基準クロックの基本波及びＮ次高調波の電磁波の輻射と、ＬＣＤ用クロック発振手段１０１の基本波及びＮ次高調波の電磁波の輻射と、カメラ用クロック発振手段１１１の基本波及びＮ次高調波の電磁波の輻射とが、受信手段５１の選局している受信周波数の干渉を防ぎ、受信特性の劣化を確実に改善することができる。
【００４１】
【発明の効果】
本発明は上記実施例より明かなように、クロック発振手段から発振している基準クロックの発振周波数ＦＸをＮ倍し、その演算結果（Ｎ・ＦＸ）と無線手段が選局している受信周波数または送信周波数を比較して等しいときはもちろん、前記クロック発振手段が生成する基準クロックの発振周波数を含む所定の帯域あるいは前記基準クロックの高調波の周波数を含む所定の帯域が、選局した周波数を含む所定の帯域と重なるときにおいても、クロック発振手段１０が生成する基準クロック１２の発振周波数をシフトした他の周波数に切り換えることにより、クロック発振手段１０が生成する基準クロックの基本波とＮ次高調波の電磁波の輻射と無線手段５の選局している周波数の干渉を防ぎ、無線特性の劣化を確実に改善することができるという効果を有する。
【図面の簡単な説明】
【図１】本発明の第１の実施の形態の構成を示す無線装置のブロック図
【図２】本発明の第１の実施の形態の受信周波数と基準クロック周波数の相対的な関係を示したグラフ
【図３】本発明の第１の実施の形態の受信周波数と基準クロック周波数の相対的な関係を示したグラフ
【図４】本発明の第２の実施の形態の構成を示す無線装置のブロック図
【図５】本発明の第３の実施の形態の構成を示す無線装置のブロック図
【図６】本発明の第４の実施の形態の構成を示す無線装置のブロック図
【図７】本発明の第５の実施の形態の構成を示す無線装置のブロック図
【図８】本発明の第５の実施の形態の制御手段６の制御する流れを示すフロー図
【図９】本発明の第６の実施の形態の構成を示す無線装置のブロック図
【図１０】本発明の第６の実施の形態の制御する流れを示すフロー図
【符号の説明】
２    記憶手段
３    比較演算手段
４    周波数切換手段
５    無線手段
６    制御手段
１０    クロック発振手段
１１    計測基準発振手段
１２    基準クロック
１３    晶発振回路
２０    メモリ回路
５０    送信手段
５１    受信手段
６０    マイクロプロセッサ
【図１】
2004289419.tif 000003
【図２】
2004289419.tif 000004
【図３】
2004289419.tif 000005
【図４】
2004289419.tif 000006
【図５】
2004289419.tif 000007
【図６】
2004289419.tif 000008
【図７】
2004289419.tif 000009
【図８】
2004289419.tif 000010
【図９】
2004289419.tif 000011
【図１０】
2004289419.tif 000012